(57)【要約】【課題】安価かつ簡易的な構造変更により照明器具の長さ寸法を変更することができ、これにより照明器具全体としても安価かつ簡易的な構造となる。【解決手段】押出し成形により構成され、両端に開口部を有するとともに光源をなすＬＥＤ基板１２が内蔵された照明カバー１１と、照明カバー１１の開口部を閉塞するエンドカバー１５とを備え、エンドカバー１５には、構造体に対して固定可能な磁石片１６と取付孔１７が設けられた吊下げ型照明器具１を提供する。【選択図】図３
2012104287.tif 000002
【特許請求の範囲】
【請求項１】
オフィスや家庭等の執務空間にて作業面の照度を確保するために構造体の下面等に取り付けて使用される吊下げ型照明器具であって、
押出し成形により構成され、両端に開口部を有するとともに光源をなす照明装置が内蔵されたカバー本体と、
該カバー本体の前記開口部を閉塞するエンドカバーと、
を備え、
前記エンドカバーには、前記構造体に対して固定可能な取付手段が設けられていることを特徴とする吊下げ型照明器具。
【請求項２】
前記カバー本体には、前記照明装置から発生される光を下方に向けて案内する照射用開口部が下面側に設けられるとともに、側面視でＣ字状もしくはコ字状に形成されてなり、
前記照射用開口部には、互いに対向して並行に延びる開口縁に案内レールが設けられ、
前記エンドカバーには、前記案内レールに沿って案内されると共に、所定位置で係止される係止部が設けられていることを特徴とする請求項１に記載の吊下げ型照明器具。
【請求項３】
前記エンドカバーの上面には、磁石片が設けられ、
該磁石片によって前記エンドカバーが前記構造体に対して磁着可能に設けられていることを特徴とする請求項１又は２に記載の吊下げ型照明器具。
【請求項４】
前記エンドカバーの上面は、前記磁石片の配置部分が他の部分よりも高いことを特徴とする請求項３に記載の吊下げ型照明器具。
【請求項５】
前記エンドカバーには、上下方向に貫通する取付孔が設けられていることを特徴とする請求項１乃至４のいずれか１項に記載の吊下げ型照明器具。
【請求項６】
前記エンドカバーには、上下方向に貫通する取付孔が設けられるとともに、リング形状の前記磁石片が前記取付孔と同心円をなして設けられていることを特徴とする請求項３又は４に記載の吊下げ型照明器具。
【発明の詳細な説明】
【技術分野】
【０００１】
本発明は、オフィスや家庭等の執務空間にて、作業面の照度を確保するために使用される吊下げ型照明器具に関する。
【背景技術】
【０００２】
従来、オフィスや家庭等の執務空間にて、作業面の照度を確保するために使用される照明器具としては、カバー部材の内部に照明灯を収容して体裁を良好に収めると共に、カバー部材の下方に設けられた窓を介して照明光を照射させることによって照明としての機能を実現させているのが一般的となっている。また、こうした照明器具の一つとして、構造体の下面（底面）等に取付手段で取り付けて使用する棚下照明が多く用いられている。
【０００３】
こうした棚下照明においては、照明装置を、下方に光を案内する照射用開口部が形成された樹脂製の照明カバー内に収容し、この照明カバーに一体的に形成された取付部を介して棚下照明を構造体に取り付ける構成としたものが一般的である。
これらの構造によれば、簡易的かつ安価に棚下照明およびその構造体への取付部を構成することができる。ところが、照明カバーと取付部とを一体的に形成する構造となっているため、棚下照明の長さ寸法を変更したいという要望が生じた場合においても、これらの要望に柔軟に対応することができない欠点があった。
【０００４】
これに対して、照明カバーを、下方に光を案内する照射用開口部が形成された押出し成形されたカバー本体と、カバー本体に取り付けられ、カバー本体の左右の開口部を閉塞する一対のキャップ部材とから構成し、カバー本体に構造体への取付部を後付けする方法が、例えば特許文献１、２に開示されている。
これらの構造によれば、カバー本体の長さのみを変更することによって、棚下照明の長さ寸法を変更することができるので、安価かつ簡易的な構造変更で柔軟に対応することが可能となっていた。
【先行技術文献】
【特許文献】
【０００５】
【特許文献１】特開２００７−０２６７２３号公報
【特許文献２】特開２００７−２０７６３６号公報
【発明の概要】
【発明が解決しようとする課題】
【０００６】
しかしながら、特許文献１、２に示す照明器具にあっては、カバー本体に構造体への取付部を後付けする方法を採用するため、煩雑な加工を要することになり、カバー本体にかかるコストが増大するという問題を有していた。
【０００７】
本発明は、上述する問題点に鑑みてなされたもので、安価かつ簡易的な構造変更により照明器具の長さ寸法を変更することができ、これにより照明器具全体としても安価かつ簡易的な構造となる吊下げ型照明器具を提供することを目的とする。
【課題を解決するための手段】
【０００８】
上記目的を達成するため、本発明に係る吊下げ型照明器具では、オフィスや家庭等の執務空間にて作業面の照度を確保するために構造体の下面等に取り付けて使用される吊下げ型照明器具であって、押出し成形により構成され、両端に開口部を有するとともに光源をなす照明装置が内蔵されたカバー本体と、カバー本体の開口部を閉塞するエンドカバーとを備え、エンドカバーには、構造体に対して固定可能な取付手段が設けられていることを特徴としている。
【０００９】
本発明では、エンドカバーに設けられる取付手段によって、吊下げ型照明器具全体を構造体の下面などに取り付けることができる。つまり、エンドカバーは長さ寸法の異なる全てのカバー本体に共通に使用することができることから、カバー本体のみの長さ寸法を変更することで、吊下げ型照明器具全体の長さ寸法を変更することができる。
そして、カバー本体を構造体に対して固定する構成ではなく、エンドカバーのみに取付手段が加工される構造であり、カバー本体自体は押出し成形による押出し部材からなるので、長さ寸法に対応したカバー本体の製造も簡単に行え、その加工を低減することができ、吊下げ型照明器具全体としても安価かつ簡易的な構造とすることができる。
【００１０】
また、本発明に係る吊下げ型照明器具では、カバー本体には、照明装置から発生される光を下方に向けて案内する照射用開口部が下面側に設けられるとともに、側面視でＣ字状もしくはコ字状に形成されてなり、照射用開口部には、互いに対向して並行に延びる開口縁に案内レールが設けられ、エンドカバーには、案内レールに沿って案内されると共に、所定位置で係止される係止部が設けられていることが好ましい。
【００１１】
本発明では、カバー本体の照射用開口部に設けられている案内レールにエンドカバーの係止部を嵌め込んで係止させることで、カバー本体の両端の開口部にエンドカバーを容易に取り付けることができる。このとき、エンドカバーは、その係止部が案内レールに沿って案内されるので、位置決めを容易に行うことが可能であり、吊下げ型照明器具の組み立ての作業性を良好なものとすることができる。
【００１２】
また、本発明に係る吊下げ型照明器具では、エンドカバーの上面には、磁石片が設けられ、磁石片によってエンドカバーが構造体に対して磁着可能に設けられていることが好ましい。
【００１３】
この場合には、エンドカバーの磁石片を構造体に磁着させることで、吊下げ型照明器具全体を構造体に対して簡単に着脱することができ、カバー本体の長さ寸法を変更する場合にも、その作業を簡略化させることができる。
【００１４】
また、本発明に係る吊下げ型照明器具では、エンドカバーの上面は、磁石片の配置部分が他の部分よりも高いことが好ましい。
【００１５】
この場合には、磁石片のみが構造体に磁着し、その磁石片の配置部分の他のエンドカバーの部分やカバー本体の部分は構造体に対して非接触で隙間をもって取り付けられることになる。そのため、磁石片により磁着された吊下げ型照明器具を構造体から取り外す場合、その照明器具全体を磁石片を支点にして傾けることで磁石片が構造体から離れるので、照明器具を構造体に対して引きずらずに容易に取り外すことができる。
【００１６】
また、本発明に係る吊下げ型照明器具では、エンドカバーには、上下方向に貫通する取付孔が設けられていることが好ましい。
【００１７】
この場合には、構造体が木製部材である場合において、取付孔に挿通させたねじによってエンドカバーを構造体に取り付けることができる。
【００１８】
また、本発明に係る吊下げ型照明器具では、エンドカバーには、上下方向に貫通する取付孔が設けられるとともに、リング形状の磁石片が取付孔と同心円をなして設けられていてもよい。
【００１９】
この場合には、構造体に対する吊下げ型照明器具の取り付け方法を、構造体の構造、材質に合わせて螺着と磁着を選択して採用することができる。このとき、エンドカバーの同一箇所に取付孔と磁石片とがあるので、エンドカバーにおける取付用の加工部をコンパクトに形成することができるとともに、その体裁を良好に収めることができる。
【発明の効果】
【００２０】
本発明の吊下げ型照明器具によれば、安価かつ簡易的な構造変更により照明器具の長さ寸法を変更することができ、これにより照明器具全体としても安価かつ簡易的な構造となる効果を奏する。
【図面の簡単な説明】
【００２１】
【図１】本発明の実施の形態による吊下げ型照明器具の取付状態の一例を示す斜視図である。
【図２】図１に示す吊下げ型照明器具の斜視図である。
【図３】吊下げ型照明器具の分解斜視図である。
【図４】吊下げ型照明器具の上面図である。
【図５】吊下げ型照明器具の側面図である。
【図６】吊下げ型照明器具の下面図である。
【図７】図５に示すＡ−Ａ線断面図である。
【図８】図５に示すＢ−Ｂ線断面図である。
【図９】図４に示すＣ−Ｃ線矢視図であって、エンドカバーの側面図である。
【図１０】エンドカバーの上面図である。
【図１１】エンドカバーの下面図である。
【図１２】スイッチユニットを下方から見た図である。
【図１３】スイッチユニットの側面図である。
【発明を実施するための形態】
【００２２】
以下、本発明の実施の形態による吊下げ型照明器具について、図面に基づいて説明する。
【００２３】
図１に示す本実施の形態による吊下げ型照明器具１は、オフィスや家庭等の執務空間にて作業面の照度を確保するために使用されるものであって、棚下などの構造体２の下面２ａに取り付けられて用いられるものである。
【００２４】
図２および図３に示すように、吊下げ型照明器具１は、光源をなすＬＥＤ基板１２（照明装置）が内蔵されるとともに、このＬＥＤ基板１２から発生される光を下方へ向けて案内する照射用開口部１１ａが形成された照明構成部１０と、ＬＥＤ基板１２の電源のオン・オフを切り替え可能とした非接触による赤外線センサー２１を備えたスイッチユニット２０とからなる。
【００２５】
先ず、ＬＥＤによる光源を備えた照明構成部１０について説明する。
図３乃至図６に示すように、照明構成部１０は、押出し成形により構成されるとともに照射用開口部１１ａを形成する照明カバー１１（カバー本体）と、この照明カバー１１の内部に内蔵された前記ＬＥＤ基板１２と、ＬＥＤ基板１２の下面側に配置される反射板１３と、照射用開口部１１ａを塞ぐ透光性を有する透光板１４と、照明カバー１１の長さ方向両端の開口を閉塞するエンドカバー１５とを備えて概略構成されている。
【００２６】
照明カバー１１は、図７および図８に示すように、一方向に延びる長尺部材で上板部１１Ａとその幅方向両側のから下方に向けて延びる側壁部１１Ｂ、１１Ｂとからなり、断面視（長手方向に直交する断面）において下方に開口する略コの字形状をなしている。照明カバー１１の照射用開口部１１ａには、互いに対向して配置された並行する開口縁に沿って係合溝１１ｂ（案内レール）が形成されている。この係合溝１１ｂには、後述するスイッチユニット２０の係合凸部２３ｃ、透光板１４の係合凸部１４ａ、エンドカバー１５の係止凸部１５ａが係合可能となっている。
【００２７】
そして、照明カバー１１の側壁部１１Ｂには、その内面において照射用開口部１１ａより上の部分から内空側に張り出すとともに、上方に向けて湾曲した張出カール部１１ｃが設けられている。この張出カール部１１ｃは、照明カバー１１の長手方向全体にわたって設けられ、その長手方向両端部の張出カール部１１ｃ内面に雌ねじ部（図示省略）が形成されている。この雌ねじ部は、エンドカバー１５を固定するためのビス１５ｅ（図３参照）を螺合させるためのものである。
また、側壁部１１Ｂには、光源から発生される熱を放熱するための溝１１ｄが設けられている。
【００２８】
図３および図４に示すように、照明カバー１１の長手方向両端部には、上面側が平面視でＵ字状で下面側がコの字状の凹状部１１ｅが形成されている。この凹状部１１ｅには、後述するエンドカバー１５の凸状部１５ｆが嵌合するようになっている。
【００２９】
図７に示すように、ＬＥＤ基板１２は、照明カバー１１の上板部１１Ａの下面に配置され、スイッチユニット２０を介して電源に繋がれており、基板下面に複数のＬＥＤが適宜な間隔をもって配置されている。
【００３０】
反射板１３は、ＬＥＤ基板１２のＬＥＤに対応する位置に開口が設けられ、幅方向中央が盛り上がった形状をなし、幅方向両端が照明カバー１１の張出カール部１１ｃの上端に係止した状態で、ＬＥＤ基板１２を照明カバー１１に押し付けることで下方より支持している。
【００３１】
図３、図６、および図７に示す透光板１４は、その幅方向両側部に係合溝１１ｂに沿ってスライド可能に係合する係合凸部１４ａが形成されている。つまり、透光板１４は、その係合凸部１４ａを係合溝１１ｂに係合させつつ、照明カバー１１の長手方向端部の開口から差し込んで取り付けることができる構成となっている。なお、透光板１４は、照射用開口部１１ａのうちスイッチユニット２０が取り付けられた部分を除く開口部を閉塞する。
【００３２】
図９乃至図１１に示すように、エンドカバー１５は、一端面から突出していて上述した照明カバー１１の凹状部１１ｅ（図３参照）に嵌合する凸状部１５ｆが形成されており、この凸状部１５ｆの両側面には照明カバー１１の係合溝１１ｂに係止する係止凸部１５ａ（第２係合部）が設けられ、上述した張出カール部１１ｃの雌ねじ部に対応する位置にビス用の挿通孔１５ｂが形成されている。この凸状部１５ｆは、凹状部１１ｅに対応して上面側が平面視でＵ字状をなし、下面側がコの字状をなしている。
【００３３】
また、エンドカバー１５の他端面側には、凹陥部１５ｃが設けられ、この凹陥部１５ｃに例えばネームプレート等の閉塞部材１５ｄが嵌って取り付けられている。つまり、エンドカバー１５は、その係止凸部１５ａを照明カバー１１の係合溝１１ｂに係止させた状態で、凹陥部１５ｃ側からビス１５ｅを挿通孔１５ｂに挿通させつつ、張出カール部１１ｃの雌ねじ部に螺合させることで、照明カバー１１の長手方向端部の開口を塞ぐ構成となっている。
【００３４】
エンドカバー１５の凸状部１５ｆの上面には、リング状の磁石片１６（取付手段）が設けられ、この磁石片１６によってエンドカバー１５が取り付けられた吊下げ型照明器具１が図１に示す構造体２の下面２ａに対して磁着可能に設けられている。そして、エンドカバー１５の上面には、磁石片１６の配置部分が他の部分よりも高い台座部１５ｇが形成されている。
さらに、エンドカバー１５には、上下方向に貫通する取付孔１７が設けられるとともに、リング形状の磁石片１６が取付孔１７と同心円をなして設けられている。
【００３５】
次に、スイッチユニット２０は、図３および図７に示すように、赤外線センサー２１を備えた制御基板２２と、この制御基板２２を内側に収容するとともに、赤外線センサー２１による赤外線を送受信するための開口部２３ａを有するスイッチカバー２３とを備えている。
【００３６】
赤外線センサー２１は、下方に向かって照射した赤外線が他の物体に当たって反射された反射量に応じてＬＥＤ基板１２の電源のオン・オフを切り替えるものである。なお、この反射可能範囲（検出範囲）は例えば１０ｃｍ程度に設定することができる。例えば、赤外線センサー２１の検出範囲で手をかざすことで、センサーのスイッチがオン・オフされ、これによりＬＥＤ基板１２の電源の入り切りを行うことができる。
【００３７】
図１２および図１３に示すように、スイッチカバー２３は、略中央部に前記開口部２３ａが配置され、他端側の部分に電源ケーブル５（図３参照）用の貫通穴２３ｂが設けられ、さらに幅方向両側部に照明カバー１１の係合溝１１ｂに沿ってスライド可能に係合する係合凸部２３ｃが形成されている。そして、スイッチカバー２３の開口部２３ａには、赤外線を透過することが可能なセンサーカバー２３ｄ（図７）が嵌め込まれている。
つまり、スイッチカバー２３は、制御基板２２を収容した状態で、その係合凸部２３ｃを係合溝１１ｂに係合させつつ、照明カバー１１の長手方向端部の開口から差し込んでスライドさせて照明カバー１１の任意の位置に取り付けることができる構成となっている。なお、スイッチカバー２３は、その長手方向両側に上述した透光板１４、あるいはエンドカバー１５が配置されることにより、スライド方向への移動が規制され、所定位置で固定されることになる。
【００３８】
次に、上述した吊下げ型照明器具１の作用について、図面に基づいて詳細に説明する。
図３、図４乃至図６に示すように、エンドカバー１５に設けられる磁石片１６によって、吊下げ型照明器具１全体を図１に示す構造体２の下面２ａなどに取り付けることができる。つまり、エンドカバー１５は長さ寸法の異なる全ての照明カバー１１に共通に使用することができることから、照明カバー１１のみの長さ寸法を変更することで、吊下げ型照明器具１全体の長さ寸法を変更することができる。
【００３９】
そして、照明カバー１１を構造体２に対して固定する構成ではなく、エンドカバー１５のみに磁石片１６や取付孔１７が加工される構造であり、照明カバー１１自体は押出し成形による押出し部材からなるので、長さ寸法に対応した照明カバー１１の製造も簡単に行え、その加工を低減することができ、吊下げ型照明器具１全体としても安価かつ簡易的な構造とすることができる。
【００４０】
また、照明カバー１１の照射用開口部１１ａに設けられている係合溝１１ｂにエンドカバー１５の係止凸部１５ａを嵌め込んで係止させることで、照明カバー１１の両端の開口部にエンドカバー１５を容易に取り付けることができる。このとき、エンドカバー１５は、その係止凸部１５ａが係止溝１１ｂに沿って案内されるので、位置決めを容易に行うことが可能であり、吊下げ型照明器具１の組み立ての作業性を良好なものとすることができる。
【００４１】
また、エンドカバー１５の磁石片１６を構造体２に磁着させることで、吊下げ型照明器具１全体を構造体２に対して簡単に着脱することができると共に、照明カバー１１自体に固定手段の加工を施す必要が無いため、照明カバー１１の長さ寸法を変更する場合にも、その作業を簡略化させることができる。
【００４２】
さらに、本実施の形態では、エンドカバー１５の台座部１５ｇに磁石片１６が配置されているので、磁石片１６のみが構造体２に磁着し、その磁石片１６の配置部分の他のエンドカバー１５の部分や照明カバー１１の部分（上板部１１Ａの上面）は構造体２に対して非接触で隙間をもって取り付けられることになる。そのため、磁石片１６により磁着された吊下げ型照明器具１を構造体２から取り外す場合、その照明器具全体を磁石片１６を支点にして傾けることで磁石片１６が構造体２から離れるので、照明器具を構造体２に対して引きずらずに容易に取り外すことができる。
【００４３】
また、構造体２が木製部材である場合には、取付孔１７に挿通させたねじによってエンドカバー１５を構造体２に取り付けることができる。
しかも、本実施の形態では、エンドカバー１５において、リング形状の磁石片１６が取付孔１７と同心円をなして設けられているので、構造体２に対する吊下げ型照明器具１の取り付け方法を、構造体２の構造、材質に合わせて螺着と磁着を選択して採用することができる。このとき、エンドカバー１５の同一箇所に取付孔１７と磁石片１６とがあるので、エンドカバー１５における取付用の加工部をコンパクトに形成することができるとともに、その体裁を良好に収めることができる。
【００４４】
上述のように本実施の形態による吊下げ型照明器具では、安価かつ簡易的な構造変更により照明器具の長さ寸法を変更することができ、これにより照明器具全体としても安価かつ簡易的な構造となる効果を奏する。
【００４５】
以上、本発明による吊下げ型照明器具の実施の形態について説明したが、本発明は上記の実施の形態に限定されるものではなく、その趣旨を逸脱しない範囲で適宜変更可能である。
例えば、本実施の形態では照明カバー１１の照射用開口部１１ａに係合溝１１ｂを設け、この係合溝１１ｂに対応するようにスイッチユニット２０に係合凸部２３ｃ、透光板１４に係合凸部１４ａ、およびエンドカバー１５に係止凸部１５ａを設けているが、このような構成に限定されることはなく、照射用開口部１１ａ側の案内レールを凸部とし、スイッチユニット２０、透光板１４、およびエンドカバー１５側を凹溝としても良い。
【００４６】
また、本実施の形態ではエンドカバー１５の台座部１５ｇの箇所に磁石片１６と取付孔１７の両方を設けているが、いずれか一方であってもかまわない。そして、取付孔１７に同心円となる位置にリング状の磁石片１６を配置させているが、このような形態であることに制限されることもなく、平面視でそれぞれが離れた位置に設けられていても良い。
また、磁石片１６の箇所に台座部１５ｇを設けずに、磁石片１６の上面とエンドカバー１５の上面とが同一平面上に位置する構成であってもかまわない。さらに、構造体２に対する取付手段として、本実施の形態の磁石片１６や取付孔１７に限定されず、他の取付手段を採用することも勿論可能である。
【００４７】
また、本実施の形態ではエンドカバー１５が照明カバー１１の凹状部１１ｅに嵌合する凸状部１５ｆを形成し、その凸状部１５ｆの範囲に磁石片１６を配置させているが、例えば磁石片１６を配置するスペースが確保できるときにはエンドカバー１５に凸状部１５ｆを設けない形状とすることも可能である。
【００４８】
また、１つの照明カバー１１に対して１つのスイッチユニット２０と１枚の透光板１４を取り付けた構成としているが、これに限定されることはなく、１つの照明カバー１１に対して例えば係合溝１１ｂに複数の透光板１４、１４、…や複数のスイッチユニット２０、２０、…を配置させたり、あるいは透光板１４とスイッチユニット２０をそれぞれ適宜数配置させることができ、取り付け位置、取り付け数量等の変更に対するより様々な要望に対しても安価で柔軟に対応することができる。
【００４９】
さらに、本実施の形態では、ＬＥＤ基板１２を反射板１３によって下方から支持する構造としているが、これに限定されることはなく、例えば接着により照明カバー１１の上板部１１Ａの下面に取り付けても良い。或いは、透光板１４側に予めＬＥＤ基板１２を固定させた構成であってもかまわない。この場合、透光板１４の取り付けとともにＬＥＤ基板１２を同時に配置することができるので、透光板１４とＬＥＤ基板１２との位置決め作業をなくすことができる。
【００５０】
さらにまた、本実施の形態では近接感知センサーとして赤外線センサー１１を採用しているが、これに制限されず、他の周波数による電磁波を用いたセンサーを適用しても良い。
そして、本実施の形態では赤外線センサー１２の検知範囲において、赤外線を遮る時間に応じて段階的に照度を変化させる構成としているが、このような照度変化機能を用いない構成であってもかまわない。
【００５１】
さらに、照明構成部１０、スイッチユニット２０の各部の形状、寸法等の構成は、条件に応じて適宜設定することが可能である。
その他、本発明の趣旨を逸脱しない範囲で、上記した実施の形態における構成要素を周知の構成要素に置き換えることは適宜可能である。
【符号の説明】
【００５２】
１  吊下げ型照明器具
１０  照明構成部
１１  照明カバー（カバー本体）
１１ａ  照射用開口部
１１ｂ  係合溝（案内レール）
１１ｅ  凹状部
１２  ＬＥＤ基板（照明装置）
１４  透光板
１４ａ  係合凸部
１５  エンドカバー
１５ａ  係止凸部
１５ｆ  凸状部
１５ｇ  台座部
１６  磁石片（取付手段）
１７  取付孔（取付手段）
２０  スイッチユニット
２１  赤外線センサー
２２  制御基板
２３  スイッチカバー
２３ｃ  係合凸部
２３ｄ  センサーカバー
【図１】
2012104287.tif 000003
【図２】
2012104287.tif 000004
【図３】
2012104287.tif 000005
【図４】
2012104287.tif 000006
【図５】
2012104287.tif 000007
【図６】
2012104287.tif 000008
【図７】
2012104287.tif 000009
【図８】
2012104287.tif 000010
【図９】
2012104287.tif 000011
【図１０】
2012104287.tif 000012
【図１１】
2012104287.tif 000013
【図１２】
2012104287.tif 000014
【図１３】
2012104287.tif 000015